(57)【要約】【課題】消毒などの清掃状態を管理して操作者に告知するようにし、装置の汚染度を告知できるようにして操作者に消毒作業を促したり、当該装置に触る場合の注意を喚起することのできるタッチスクリーン装置及び自動分析装置を提供することである。【解決手段】試料容器に収容された被検体から採取された被検試料及び試薬の混合液を測定する自動分析装置に於いて、タッチスクリーン３０は、前記測定のための入力操作を行う複数のタッチスイッチを画面上に有して成る。そして、操作者が前記タッチスクリーンの画面に触れると位置検出部３１はその位置を検出する。この検出された位置及び画面に触れた回数は記憶部３３に記憶され、その回数が所定回数を超えた場合には、前記操作者に前記画面の清掃を促すように、制御部３２によってディスプレイ２４にメッセージを表示する。【選択図】      図４
2010230399.tif 000002
【特許請求の範囲】
【請求項１】
複数のタッチスイッチを画面上に有して成るタッチスクリーン装置であって、
操作者が前記画面に触れた位置を検出する位置検出部と、
前記位置検出部によって検出された前記操作者が前記画面に触れた位置及び前記画面に触れた回数を記憶する記憶部と、
前記記憶部に記憶された前記画面に触れた回数が所定回数を超えた場合に、前記操作者に前記画面の清掃を促すように前記画面上に注意メッセージを表示するように制御する制御部と、
を具備することを特徴とするタッチスクリーン装置。
【請求項２】
前記記憶部は、前記画面を所定のエリア毎に分割して、該エリア毎に前記操作者が前記画面に触れた位置及び前記画面に触れた回数を記憶し、
前記制御部は、前記記憶部に記憶された前記エリア毎の画面に触れた回数が所定回数を超えた場合に、前記操作者に前記画面に触れたエリアの清掃を促すように前記画面上に注意メッセージを表示するように制御する
ことを特徴とする請求項１に記載のタッチスクリーン装置。
【請求項３】
前記制御部は、前記記憶部に記憶された前記画面に触れた回数に応じて、前記操作者が前記画面に触れた位置の色を変化させて表示するように制御することを特徴とする請求項１に記載のタッチスクリーン装置。
【請求項４】
前記画面上のタッチスイッチの表示位置をシフトさせる表示位置シフト部を更に具備し、
前記制御部は、前記操作者が前記タッチスイッチに触れた回数に応じて、当該タッチスイッチの表示位置をシフトさせるべく前記表示位置シフト部を制御する
ことを特徴とする請求項２に記載のタッチスクリーン装置。
【請求項５】
操作者が清掃作業を行った旨を入力する入力部を更に具備し、
前記制御部は、前記入力部により入力された前記清掃作業を行った旨の通知を、該装置の起動時若しくは定期的に前記画面に表示させるように制御する
ことを特徴とする請求項１乃至３の何れか１項に記載のタッチスクリーン装置。
【請求項６】
試料容器に収容された被検体から採取された被検試料及び試薬の混合液を測定する自動分析装置に於いて、
前記測定のための入力操作を行う複数のタッチスイッチを画面上に有して成るタッチスクリーンと、
操作者が前記タッチスクリーンの画面に触れた位置を検出する位置検出部と、
前記位置検出部によって検出された前記操作者が前記画面に触れた位置及び前記画面に触れた回数を記憶する記憶部と、
前記記憶部に記憶された前記画面に触れた回数が所定回数を超えた場合に、前記操作者に前記画面の清掃を促すように前記画面上に注意メッセージを表示するように制御する制御部と、
を具備することを特徴とする自動分析装置。
【請求項７】
前記記憶部は、前記画面を所定のエリア毎に分割して、該エリア毎に前記操作者が前記画面に触れた位置及び前記画面に触れた回数を記憶し、
前記制御部は、前記記憶部に記憶された前記エリア毎の画面に触れた回数が所定回数を超えた場合に、前記操作者に前記画面に触れたエリアの清掃を促すように前記画面上に注意メッセージを表示するように制御する
ことを特徴とする請求項６に記載の自動分析装置。
【請求項８】
前記制御部は、前記記憶部に記憶された前記画面に触れた回数に応じて、前記操作者が前記画面に触れた位置の色を変化させて表示するように制御することを特徴とする請求項６に記載の自動分析装置。
【請求項９】
前記画面上のタッチスイッチの表示位置をシフトさせる表示位置シフト部を更に具備し、
前記制御部は、前記操作者が前記タッチスイッチに触れた回数に応じて、当該タッチスイッチの表示位置をシフトさせるべく前記表示位置シフト部を制御する
ことを特徴とする請求項７に記載の自動分析装置。
【請求項１０】
操作者が清掃作業を行った旨を入力する入力部を更に具備し、
前記制御部は、前記入力部により入力された前記清掃作業を行った旨の通知を、該装置の起動時若しくは定期的に前記画面に表示させるように制御する
ことを特徴とする請求項６乃至８の何れか１項に記載の自動分析装置。
【発明の詳細な説明】
【技術分野】
【０００１】
本発明はタッチスクリーン装置及び自動分析装置に関し、より詳細には、タッチスクリーン装置を使用して、血液や尿などの体内成分を分析して、成分濃度、定性判定を行うための自動分析装置に関するものである。
【背景技術】
【０００２】
自動分析装置は、検査する項目（測定項目）に応じて、被検体から採取された血液や尿などの被検試料と試薬とを反応容器に分注し、被検試料と試薬との混合液の反応によって生ずる色調などの変化を、光の透過量を測定することにより、被検試料中の様々な成分の濃度や活性を測定するものである。そして、自動分析装置には、測定開始の指示や測定の条件の入力、測定された結果の表示や処理、保守作業の指示を行うための表示装置と入力装置が備わっている。通常、これらの表示装置としてはＣＲＴやＬＣＤ等の表示装置、入力装置としてはキーボードやマウス等がある。
【０００３】
また、近年、作業のしやすさから、表示装置上にタッチすることで操作指示を行うことが可能なタッチスクリーンを備える表示装置が増えてきている。検査作業は立ち作業が多く、大量の検体やその結果の伝票処理などもあって、操作する際、画面上に表示された指示ボタンをタッチするだけで操作が行なえることは、作業の効率を向上させることにつながっている。
【０００４】
加えて、院内感染をはじめとして、検体の取扱い上、感染に対する危険性も重視されてきている。このため、手袋の着用、操作機器、環境の消毒、清掃が、感染防止や拡散を防止する上で重要な作業となっている。
【０００５】
検査員は、業務上、検体に触ることが多いため、手袋を着用するなどして感染防止対策を行っている。しかしながら、その手、または、手袋のまま、検査装置に触れることになるため、検査装置の入力部等は、その汚れ、感染物質が付着することになる。このため、定期的な消毒や清掃を、検査室内で取り決めて作業することが行われている。
【先行技術文献】
【特許文献】
【０００６】
【特許文献１】特開２００１−９２５２０号公報
【発明の概要】
【発明が解決しようとする課題】
【０００７】
前述したように、従来でも定期的な消毒などが行われているが、消毒作業を忘れてしまったり、稼動していた、しないにも関わらず消毒を行うことは無駄な作業となることがある。また、多くの場合、消毒液はタッチスクリーン等の電子機器に少なからずダメージを及ぼす可能性があるため、必要最小限の回数で消毒作業を行うことも重要になる。
【０００８】
したがって本発明は、前記実情に鑑みてなされたものであり、その目的は、消毒などの清掃状態を管理して操作者に告知するようにし、装置の汚染度を告知できるようにして操作者に清掃作業を促したり、当該装置に触る場合の注意を喚起することのできるタッチスクリーン装置及び自動分析装置を提供することである。
【課題を解決するための手段】
【０００９】
すなわち本発明は、複数のタッチスイッチを画面上に有して成るタッチスクリーン装置であって、操作者が前記画面に触れた位置を検出する位置検出部と、前記位置検出部によって検出された前記操作者が前記画面に触れた位置及び前記画面に触れた回数を記憶する記憶部と、前記記憶部に記憶された前記画面に触れた回数が所定回数を超えた場合に、前記操作者に前記画面の清掃を促すように前記画面上に注意メッセージを表示するように制御する制御部と、を具備することを特徴とする。
【００１０】
また本発明は、試料容器に収容された被検体から採取された被検試料及び試薬の混合液を測定する自動分析装置に於いて、前記測定のための入力操作を行う複数のタッチスイッチを画面上に有して成るタッチスクリーンと、操作者が前記タッチスクリーンの画面に触れた位置を検出する位置検出部と、前記位置検出部によって検出された前記操作者が前記画面に触れた位置及び前記画面に触れた回数を記憶する記憶部と、前記記憶部に記憶された前記画面に触れた回数が所定回数を超えた場合に、前記操作者に前記画面の清掃を促すように前記画面上に注意メッセージを表示するように制御する制御部と、を具備することを特徴とする。
【発明の効果】
【００１１】
本発明によれば、消毒などの清掃状態を管理して操作者に告知するようにし、装置の汚染度を告知できるようにして操作者に消毒作業を促したり、当該装置に触る場合の注意を喚起することのできるタッチスクリーン装置及び自動分析装置を提供することである。
【図面の簡単な説明】
【００１２】
【図１】本発明の第１の実施形態に於ける自動分析装置の外観を示す斜視図である。
【図２】図１の自動分析装置のコンソール部を示した斜視図である。
【図３】ディスプレイ及びタッチスクリーンの例を示す斜視図である。
【図４】（ａ）は本発明の第１の実施形態に於けるタッチスクリーン装置の構成を示した機能ブロック図、（ｂ）は本発明の第２の実施形態に於けるタッチスクリーン装置の構成を示した機能ブロック図である。
【図５】本発明の第１の実施形態に於けるタッチスクリーンの清掃告知の動作について説明するためのフローチャートである。
【図６】（ａ）はタッチスクリーン上で操作者がタッチ位置の例を表した図、（ｂ）はタッチスクリーンを４分割して各エリア毎に操作者がタッチした位置の例を表した図である。
【図７】清掃を促すメッセージの表示例を示した図である。
【図８】タッチした箇所が色分けて表示されたタッチスクリーン３０の画面の例を示した図である。
【図９】本発明の第２の実施形態に於けるタッチスクリーン装置のタッチスイッチの表示例を示した図である。
【図１０】本発明の第２の実施形態に於けるタッチスクリーンの清掃告知の動作について説明するためのフローチャートである。
【発明を実施するための形態】
【００１３】
以下、図面を参照して、本発明の実施形態を説明する。
【００１４】
（第１の実施形態）
図１は、本発明の第１の実施形態に於ける自動分析装置の外観を示す斜視図であり、図２は図１の自動分析装置のコンソール部を示した斜視図である。
【００１５】
この自動分析装置１は、分析部１０とコンソール部２０とから構成されている。前記分析部１０は、被検体を検査する項目の標準試料や被検体から採取された被検試料の測定を行い、標準データや被検データを生成するものである。一方、コンソール部２０は、被検試料を測定して被検体を識別するための認証データを生成し、分析部１０を制御して、該分析部１０から出力される標準データや被検データを処理し、各項目の検量線の作成や分析データの生成を行う機能を有したパーソナルコンピュータ（ＰＣ）本体２２を備えている。
【００１６】
尚、以下の説明に於いて、分析部１０とコンソール部２０に於ける一般的な構成及び動作については周知であるのでここでは説明を省略するものとし、後述するタッチスクリーンの清掃告知に関することについて説明する。
【００１７】
コンソール部２０は、装置全体を載置しているラック２１と、このラック２１に載置されたパーソナルコンピュータ本体２２、入力装置としてのキーボード２３、表示装置としてのディスプレイ２４、出力装置としてのプリンタ２５を有して構成される。
【００１８】
ディスプレイ２４は、図３に示されるように、その表面にタッチスクリーン３０が貼り付けられている。このタッチスクリーン３０は透明であり、該タッチスクリーン３０を通して、ディスプレイ２４の画面に表示されている内容を見ることができる。
【００１９】
図４（ａ）は、こうしたタッチスクリーン３０を含むタッチスクリーン装置の構成を示した機能ブロック図である。
【００２０】
本タッチスクリーン装置は、ディスプレイ２４の前面に貼り付けられたタッチスクリーン３０と、位置検出部３１と、制御部３２と、記憶部３３と、表示処理部３４と、を有して構成される。ここで、位置検出部３１、制御部３２、記憶部３３、表示処理部３４は、パーソナルコンピュータ２２内に含まれている。
【００２１】
このような構成に於いて、タッチスクリーン３０でタッチされた場所の情報は、表示上の座標数値として位置検出部３１で検出され、タッチスクリーン３０からパーソナルコンピュータ２２内に送られる。通常、ここで検出された座標データは制御部３２に送られ、この制御部３２にて、ディスプレイ２４に表示されている操作対象物が特定され、その操作が入力されたとして判断されて、その操作が実行される。例えば、スタートボタンの位置であれば、動作が開始される等である。
【００２２】
前記座標データは、記憶部３３内に保存される。この座標データは、タッチスクリーン３０上のどの位置を操作者がタッチしたかがわかるようにするために記憶される。また、座標データと共に、操作者が触れた回数が記憶される。表示処理部３４では、前記制御部３２で特定された入力操作に対応する画像の処理がなされて、ディスプレイ２４に当該画像を表示させる。
【００２３】
次に、図５のフローチャートを参照して、本実施形態に於けるタッチスクリーンの清掃告知の動作について説明する。
【００２４】
尚、本フローチャートに於ける制御動作は、主に制御部３２の指令により行われる。
【００２５】
図６（ａ）に示されるように、操作者が自動分析装置１のディスプレイ２４上のタッチスクリーン３０を操作する。すると、ステップＳ１に於いて、位置検出部３１によってタッチスクリーン３０上で操作者がタッチした位置４１が検出されて、座標データに変換される。ステップＳ２では、この変換された座標の位置が記憶部３３に記憶される。
【００２６】
このように、操作者がタッチした回数を累積して記憶するだけの処理は最も単純な方法であり、最大数に見合う記憶領域だけ使用すればよい。例えば、１ワード（１６ビット）であれば、２バイトの領域でよく、これで６５，５３４回のタッチを記録することができる。この場合、６５，５３５回目は、オーバーフローとして、これ以上の累積は行わないようにする。
【００２７】
次いで、ステップＳ３に於いて、操作者がタッチスクリーン３０にタッチした回数が規定回数を超えたか否かが判定される。この規定回数は予め設定されているもので、例えば１００回とする。ここで、１００回未満の場合は前記ステップＳ１に移行して、タッチした回数が１００回になるまでは前述した処理動作が繰り返される。
【００２８】
そして、タッチスクリーン３０にタッチした回数が１００回に到達したならば、ステップＳ４に移行して、図７に示されるような、清掃を促すメッセージがディスプレイ２４に表示される。このメッセージによって、操作者はタッチスクリーン３０が消毒等の清掃作業が必要になったことを知ることができる。尚、このメッセージは、清掃作業がなされるまでディスプレイに表示されたままの状態にしておいてもよい。
【００２９】
実際には、タッチスクリーン３０にタッチした回数が１００回では清掃が必要ない場合もあるので、前述したメッセージは注意喚起として捕らえ、操作者がタッチスクリーン３０の状態を確認した上で清掃作業を行えようにする。この場合、次回の清掃作業を必要とする回数（規定値）を設定し直すようにしてもよい。
【００３０】
また、消毒作業を行った場合、キーボード２３や図示されないマウス等の入力装置によってその旨を入力して記憶部３３に記憶できるようにしておく。そして、装置の起動時、または、定期的に、消毒の有無をディスプレイ２４に表示して、この装置の汚染具合を知らせるようにしてもよい。
【００３１】
このようにすれば、操作者等が清掃の時期を覚えていなくとも清掃が必要な時期を知ることができるので、必要なときだけ確実に清掃作業を行うことができ、無駄な作業を行うことがなくなる。
【００３２】
（第１の変形例）
前述した実施形態では、操作者がタッチスクリーン３０にタッチした回数を単純に記憶した例で説明したが、これに限られるものではない。
【００３３】
例えば、図６（ｂ）に示されるように、画面表示をエリア毎に分割してタッチした箇所がエリア単位で記録されるものであってもよい。この例では、画面表示は３０ａ、３０ｂ、３０ｃ、３０ｄの４つのエリア（Ａｒｅａ１〜４）に分割されている。
【００３４】
こうした場合、前記制御部３２では、操作者が触れた位置が、画面上のどの座標であるか、更には、その座標がどのエリアに属するかが判定され、そのエリア毎にタッチされた回数が累積されて記憶される。そして、タッチスクリーン３０にタッチした回数が規定値を超えたか否かは、エリア毎に判定される。したがって、例えばエリア１のタッチ回数が１００回に到達しても、他のエリア２〜４が１００回未満であれば、エリア１の画面の部分だけ清掃を促すようにメッセージを表示するようにすればよい。
【００３５】
このようにすれば、使用頻度の高いエリアのみ消毒を行えばよく、まだ消毒を必要としないエリアについては作業を行わなくてもよいので、タッチスクリーンの寿命を延ばすことにもつながる。
【００３６】
勿論、画面上のエリアの分割は４分割に限られるものではなく、９分割、１６分割等、細かく設定が可能である。また、エリア分割は固定ではなく、１つを含む複数のエリアとの間で分割数を切り替えることも可能である。
【００３７】
（第２の変形例）
前述した第１の実施形態及び第１の変形例では、操作者がタッチスクリーン３０をタッチした位置、回数を記憶して、その回数が規定値に到達したらメッセージの表示によってタッチスクリーン３０の清掃作業を促すようにしている。しかしながら、メッセージの表示による告知だけでなく、その他の方法による告知であってもよい。
【００３８】
この第２の変形例では、操作者がタッチスクリーン３０をタッチした回数によって画面上の表示色で告知するようにしている。
【００３９】
例えば、図８は、タッチした箇所が色分けて表示されたタッチスクリーン３０の画面の例を示した図である。
【００４０】
この場合、例えば色の薄い領域４２ｃがタッチした回数が最も少なく、最も色の濃い領域４２ｂがタッチした回数が最も多い（頻度が高い）と判断することができ、領域４２ａ、４２ｄはその中間に相当する。そして、タッチした領域がある所定の警告を表す色（例えば赤）になった時点で、この色が清掃作業を促すメッセージとすることができる。この際、前述した第１の実施形態のように、メッセージを表示して更なる告知を行うようにしてもよい。
【００４１】
このようにすれば、タッチスクリーンの色によって清掃が必要か否かを判断することができる。しかも、タッチした箇所がそのままの領域で表示されるので、本当に清掃が必要な領域を知ることができる。
【００４２】
（第２の実施形態）
次に、本発明の第２の実施形態について説明する。
【００４３】
前述した第１の実施形態では、タッチスクリーンの使用回数を記憶して清掃を促すようにしているが、本第２の実施形態では、使用頻度の高い場所は表示される操作対象の位置を変えるようにしている。
【００４４】
尚、本第２の実施形態に於いて、自動分析装置、タッチスクリーン装置の基本的な構成は前述した第１の実施形態と同じであるので、説明の重複を避けるため、同一の部分には同一の参照番号を付して、その図示及び説明を省略し、異なる部分についてのみ説明する。
【００４５】
例えば、図９（ａ）に示されるように、タッチスクリーン３０上にタッチスイッチ４５ａ、４５ｂ、４５ｃが表示されているとする。そして、同じタッチスイッチ、例えば４５ａが操作者によってタッチされたとすると、図９（ｂ）に示されるように、実線で示される最初の表示位置から２点鎖線で示される位置へと徐々に移動して表示されるようにする。
【００４６】
図４（ｂ）は、こうしたタッチスクリーン３０を含むタッチスクリーン装置の構成を示した機能ブロック図である。
【００４７】
第２の実施形態によるタッチスクリーン装置は、ディスプレイ２４の前面に貼り付けられたタッチスクリーン３０と、位置検出部３１と、制御部３２と、記憶部３３と、表示処理部３４と、表示位置シフト部３５と、を有して構成される。ここで、位置検出部３１、制御部３２、記憶部３３、表示処理部３４、表示位置シフト部３５は、パーソナルコンピュータ２２内に含まれている。
【００４８】
このような構成に於いて、記憶部３３内に保存される座標データは、タッチスクリーン３０上のどの位置を操作者がタッチしたかがわかるようにするために記憶される。また、座標データと共に、操作者が触れた回数が記憶される。そして、表示位置シフト部３５は、記憶部３３に記憶された座標位置に対応する、タッチスクリーン３０上のタッチスイッチの表示位置を所定方向に移動させる。例えば、元の位置より左側に所定距離だけシフトさせる。表示処理部３４では、タッチスクリーン３０上で前記シフトされた位置に、当該タッチスイッチが表示される。
【００４９】
次に、図１０のフローチャートを参照して、本実施形態に於けるタッチスクリーンの清掃告知の動作について説明する。
【００５０】
尚、本フローチャートに於ける制御動作は、主に制御部３２の指令により行われる。
【００５１】
図９（ａ）に示されるように、操作者が自動分析装置１のディスプレイ２４上のタッチスクリーン３０を操作する。すると、ステップＳ１１に於いて、位置検出部３１によってタッチスクリーン３０上で操作者がタッチした位置４１が検出される。次に、ステップＳ１２及びＳ１３に於いて、操作されたタッチスイッチがスイッチａ、ｂ、ｃ（タッチスイッチ４５ａ、４５ｂ、４５ｃ）の何れであるかが検出される。
【００５２】
ここで、操作されたタッチスイッチがスイッチａ（タッチスイッチ４５ａ）であった場合は、ステップＳ１４に移行して、検出された座標の位置が座標データに変換されると共にタッチされた回数が記憶部３３に記憶される。同様に、操作されたタッチスイッチがスイッチｂ（タッチスイッチ４５ｂ）であった場合は、ステップＳ１５に移行して、検出された座標の位置が座標データに変換されると共にタッチされた回数が記憶部３３に記憶される。更に、操作されたタッチスイッチがスイッチｃ（タッチスイッチ４５ｃ）であった場合は、ステップＳ１６に移行して、検出された座標の位置が座標データに変換されると共にタッチされた回数が記憶部３３に記憶される。
【００５３】
ステップＳ１７では、操作者がタッチスイッチ４５ａにタッチした回数が規定回数を超えたか否かが判定される。この規定回数は予め設定されているもので、例えば１００回とする。ここで、１００回未満の場合はステップＳ１８に移行して、タッチスイッチ４５ａの表示位置を所定量だけシフトさせる。例えば、最初の表示位置よりも２ｍｍ左側に表示されるようにシフトさせる。その後、前記ステップＳ１１に移行する。
【００５４】
そして、ステップＳ１７にて、タッチスイッチ４５ａがタッチされた回数が１００回になるまでは前述した処理動作が繰り返される。タッチスイッチ４５６ａにタッチした回数が１００回に到達したならば、ステップＳ１７からステップＳ１９に移行して、タッチスイッチ４５ａに対しての清掃を促すメッセージがディスプレイ２４に表示される。このメッセージによって、操作者はタッチスイッチ４５ａの部分について消毒等の清掃作業が必要になったことを知ることができる。尚、このメッセージは、清掃作業がなされるまでディスプレイに表示されたままの状態にしておいてもよい。
【００５５】
実際には、タッチスイッチ４５ａにタッチした回数が１００回では清掃が必要ない場合もあるので、前述したメッセージは注意喚起として捕らえ、操作者がタッチスイッチ４５ａの状態を確認した上で清掃作業を行えようにする。この場合、次回の清掃作業を必要とする回数（規定値）を設定し直すようにしてもよい。
【００５６】
同様に、ステップＳ２０では、操作者がタッチスイッチ４５ｂにタッチした回数が規定回数（１００回）を超えたか否かが判定される。ここで、１００回未満の場合はステップＳ２１に移行して、タッチスイッチ４５ｂの表示位置を所定量だけシフトさせる。その後、前記ステップＳ１１に移行する。
【００５７】
そして、ステップＳ２０にて、タッチスイッチ４５ｂがタッチされた回数が１００回になるまでは前述した処理動作が繰り返される。タッチスイッチ４５ｂにタッチした回数が１００回に到達したならば、ステップＳ２０からステップＳ２２に移行して、タッチスイッチ４５ｂに対しての清掃を促すメッセージがディスプレイ２４に表示される。このメッセージによって、操作者はタッチスイッチ４５ｂの部分について消毒等の清掃作業が必要になったことを知ることができる。
【００５８】
また、ステップＳ２３では、操作者がタッチスイッチ４５ｃにタッチした回数が規定回数（１００回）を越えたか否かが判定される。ここで、１００回未満の場合はステップＳ２４に移行して、タッチスイッチ４５ｃの表示位置を所定量だけシフトさせる。その後、前記ステップＳ１１に移行する。
【００５９】
そして、ステップＳ２３にて、タッチスイッチ４５ｃがタッチされた回数が１００回になるまでは前述した処理動作が繰り返される。タッチスイッチ４５ｃにタッチした回数が１００回に到達したならば、ステップＳ２３からステップＳ２５に移行して、タッチスイッチ４５ｃに対しての清掃を促すメッセージがディスプレイ２４に表示される。このメッセージによって、操作者はタッチスイッチ４５ｃの部分について消毒等の清掃作業が必要になったことを知ることができる。
【００６０】
尚、何れのタッチスイッチ４５ａ〜４５ｃの場合も、タッチされた回数が規定回数に到達したならば、清掃を促すメッセージが表示されると共に、当該タッチスイッチの表示位置は最初の位置に戻るように制御されている。
【００６１】
このようにすれば、操作者等が清掃の時期を覚えていなくとも清掃が必要な時期を知ることができるので、必要なときだけ確実に清掃作業を行うことができ、無駄な作業を行うことがなくなる。また、タッチスイッチの表示位置によって清掃が必要な時期を知ることもできる。
【００６２】
更に、操作者がタッチした頻度が高い場所は、その場所に表示される操作対象であるタッチスイッチの位置を変えることで、その場所のタッチ頻度を下げて、タッチスクリーンの寿命を延ばすようにすることができる。
【００６３】
尚、本実施形態では、操作者がタッチしたタッチスイッチの位置を徐々にシフトしていくように説明したが、これに限られるものではなく、操作者が操作可能な範囲で表示位置を変えるようにしてもよい。
【００６４】
また、前述した実施形態では、自動分析装置に使用されるタッチスクリーン装置として説明したが、これに限られるものではなく、タッチスクリーン装置を使用するものであれば何れの装置にも適用可能である。
【００６５】
以上、本発明の実施形態について説明したが、本発明は上述した実施形態以外にも、本発明の要旨を逸脱しない範囲で種々の変形実施が可能である。
【００６６】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【産業上の利用可能性】
【００６７】
本発明によれば、消毒などの清掃状態を管理して操作者に告知するようにし、装置の汚染度を告知できるようにして操作者に消毒作業を促したり、当該装置に触る場合の注意を喚起することのできるタッチスクリーン装置及び自動分析装置が得られる。
【符号の説明】
【００６８】
１…自動分析装置、１０…分析部、２０…コンソール部、２１…ラック、２２…パーソナルコンピュータ（ＰＣ）本体、２３…キーボード、２４…ディスプレイ、２５…プリンタ、３０…タッチスクリーン、３１…位置検出部、３２…制御部、３３…記憶部、３４…表示処理部、３５…表示位置シフト部、４５ａ、４５ｂ、４５ｃ…タッチスイッチ。
【図１】
2010230399.tif 000003
【図２】
2010230399.tif 000004
【図３】
2010230399.tif 000005
【図４】
2010230399.tif 000006
【図５】
2010230399.tif 000007
【図６】
2010230399.tif 000008
【図７】
2010230399.tif 000009
【図８】
2010230399.tif 000010
【図９】
2010230399.tif 000011
【図１０】
2010230399.tif 000012